(57)【要約】【課題】単語を暗記しようとするとき使用する単語カード帳を、従来のように複数冊に小分けにして保持するのではなく、すべて１冊の冊子に一体化することで、単語カード帳の紛失を防ぎ、持ち運びしやすく、かつ単語の要点整理や暗記を容易にした観音開き状の単語カード帳を提供する。【解決手段】単語カード帳の台紙（１）に、任意数に束ねた単語カードの束（３）が縦に２列、横に任意の行数となるよう並べられた１冊の冊子からなり、単語カードの束（３）と表紙（５）はそれぞれ観音開き状に開くことができる単語カード帳で、表紙（５）は任意に開閉できるようにとめ具（６）が設けられた観音開き状の単語カード帳を特徴とする。【選択図】図１
2011104973.tif 000002
【特許請求の範囲】
【請求項１】
左右両端に任意の綴り部と固定具が設けられた１冊の冊子からなる単語カード帳で、台紙の上には任意数ごとに束ねられた単語カードの束が、縦に２列、横に任意の行数となるよう設置されており、使用する際は、観音開き状に綴られた表紙および各単語カードの束をそれぞれ左右両側にめくりながら使用できる観音開き状の単語カード帳。
【発明の詳細な説明】
【技術分野】
【０００１】この発明は、左右両側に任意の綴り部と固定具を設けた１冊の冊子の中に、任意数に束ねられた単語カードの束が縦に２列、横に任意の行数となるよう綴られており、表紙および単語カードをそれぞれ綴られている方向にめくりながら使うことのできる観音開き状の単語カード帳に関するものである。
【背景技術】
【０００２】従来の単語カード帳は、その一端にのみ穴が開けられ輪状の固定具などにより綴られていた。そのため、１冊の単語カード帳ではせいぜい２５枚から５０枚くらいまでの少数の単語カードしか綴じることができなかった。受験生などがそれ以上の単語を覚えようとすると、従来の単語カード帳では複数冊の単語カード帳に分けて管理する必要があり、大変煩わしく不便であった。鞄の中から必要な単語カード帳を取り出そうとしても、必要な単語カード帳を探しあてるだけでも時間と手間がかかり、大変不便で効率の悪い作業を強いられるものであった。
【発明の開示】
【発明が解決しようとする課題】
【０００３】これには、次のような欠点があった。
従来の単語カード帳は、その一端にのみ綴り部が設けられており、任意の数の単語カードを一束にして輪状の固定具で綴じたものが一冊の単語カード帳として存在していた。従来の単語カード帳では、一束しか綴じられないという点から、多くても５０枚ほどしか単語カードを収納できないため、大量の単語を覚えようとした際などは複数冊の単語カード帳に分けて管理し、それらを必要に応じて使い分けなければならなかった。また、それらを携帯する際は鞄の中に複数冊の単語カード帳をばらばらに入れるなどして持ち歩かなければならず、必要な単語カード帳を探しだすのにも一苦労するなど、大変不便で効率の悪い手間のかかる作業を強いられていた。
本発明は、以上のような欠点をなくすためになされたものである。
【課題を解決するための手段】
【０００４】任意の大きさからなる単語カード帳の台紙（１）の両端に任意の形状の綴り部（２）を設け、台紙（１）の上部には任意数に束ねられた単語カードの束（３）が縦に２列、横に任意の行数となるよう並べられている。それらの単語カードの束（３）は、金属類やプラスチック類などの任意の素材からなる輪状またはスパイラル状などの任意の形状からなる固定具（４）を用いて、表紙（５）と台紙（１）の間に綴られている。表紙（５）は観音開き状に左右両側に１枚ずつ設けられており、その開閉を自由に操作するための任意の素材からなるとめ具（６）が台紙（１）または表紙（５）に設けられている。
本発明は、以上の構成よりなる観音開き状の単語カード帳である。
【発明の効果】
【０００５】複数冊に分けて持ち歩いていた従来の単語カード帳を、本発明では１つの冊子にすべて一体化することで、前述の従来の単語カード帳の不便な点を解消し、なおかつ従来の単語カード帳では為し得なかった便利で効率的な３つの効果を実現した。
一つ目は、本発明では、従来の単語カードの束を１冊の冊子内に複数行列にわたり設置することで、従来の単語カード帳の２倍から任意の倍数にまで単語カードの数を増やすことができる。これにより、大量の単語カードを１冊にまとめることが可能となった。
２つ目は、複数冊に分けて使い分けなければならなかった従来の単語カード帳を、すべて１つの冊子に一体化することで、単語カード帳の紛失を防ぎ、単語の要点整理も効率よくできるようになった。持ち運ぶ際に鞄の中でばらばらに入れられがちであった従来の単語カード帳も、１冊の冊子にまとめられたことで持ち運びにも大変便利なものとなった。
３つ目は、見開き一面上の単語数の増加による暗記効率の向上という利点である。従来の単語カード帳では、見開き一面には１単語しか表示できなかった。これに対し、本発明では、見開き一面に２単語以上から任意の単語数にまで表示できる単語を増やすことができる。そのため、従来の単語カード帳で起こりがちであった「並び順による誤暗記」という暗記作業の欠点を補うことができる。つまり、従来の単語カード帳では「この単語の次はあの単語で、意味はあれだったな」といった「カードの並び順」よる暗記になりがちであったのが、本発明では見開きに２単語以上の表示が可能であるため、「並び順による誤暗記」を未然に防ぐことができる。また、単語カードの束が縦横に数多く並べば並ぶほど、見開き一面上に表示される単語数は多くなるため、見開き一面上の単語カードの組み合わせは未知数となる。つまり、見開き一面上の単語カードの組み合わせを任意に変えることができるため「並び順による誤暗記」を防ぎ、真の暗記作業が可能となる。
【発明を実施するための最良の形態】
【０００６】以下、本発明を実施するための最良の形態について説明する。
任意の大きさからなる単語カード帳の台紙（１）の左右両端に設けられた綴り部（２）に、任意数ごとに束ねられた単語カードの束（３）を縦に２列、横に任意の行数となるよう並べ、表紙（５）と台紙（１）の間に固定具（４）を用いて綴じる。綴り部（２）に使用する金属類やプラスチック類などの任意の素材からなる固定具（４）については、輪状やノートなどに使用されているスパイラル状の固定具が望ましいが、その形状は任意とする。各単語カードの束（３）は、左列は左側を、右列は右側をそれぞれ固定具（４）で綴じられているため、使用する際は、観音開き状に単語カードを１枚ずつめくりながら使用することができる。また、左右に一枚ずつ設けられた表紙（５）は、綴り部（２）と固定具（４）によりその一端のみが固定された観音開き状のもので、任意に開閉操作ができるように、台紙（１）または表紙（５）に設けられた伸縮性のあるゴム類や紐類などの任意の素材からなるとめ具（６）によって、単語カード帳を使用しない時などに表紙（５）が勝手に開くことがないような機能を保持している。
本発明は、以上のような構造である。
【図面の簡単な説明】
【０００７】
【図１】本発明の表紙（５）を開いた状態の斜視図である。
【図２】本発明の斜視図である。
【図３】本発明の断面図である。
【符号の説明】
【０００８】１  台紙
２  綴り部
３  単語カードの束
４  固定具
５  表紙
６  とめ具
【図１】
2011104973.tif 000003
【図２】
2011104973.tif 000004
【図３】
2011104973.tif 000005